(57)【特許請求の範囲】
【請求項１】
蒸気タービンおよび発電機を有するターボセットを備えた発電所プラントの迅速な出力調節のための方法であって、発電機増加出力を設定するためにプラントプロセス内に存在しているエネルギー蓄積器が能動化され、その際発電機出力（PS、PI）に対して付加的に少なくとも１つの別の、現在の作動状態を特徴付けるプロセス量（PS、PI、PWL、PFW、MPD、DFD、KL、TB、P）が複数個の位置目標値（Y、DFD）を求めるために利用される方法において、第１の別のプロセス量（PS、PI、PWL、PFW、MPD、DFD、KL、TB、P）として位置目標値（Y、DFD）を求めるためプラントプロセスから脱結合される熱出力（PFW）が利用されることを特徴とする発電所プラントの迅速な出力調節のための方法。
【請求項２】
付加のプロセス量として、蒸気タービン（２、４、６）と結合されている少なくとも操作機構（１０）の絞り度（DFD）が使用されることを特徴とする請求項１記載の方法。
【請求項３】
付加の別のプロセス量として、プラントプロセスから取り出される蒸気質量流（MPD）が利用されることを特徴とする請求項１または２記載の方法。
【請求項４】
付加の別のプロセス量として、プラントプロセスの熱出力実際値（PWL）が利用されることを特徴とする請求項１ないし３のいずれか１つに記載の方法。
【請求項５】
位置目標値（ｙ）を求めるためにエネルギー蓄積器の能動化可能性（TB）に関する情報が考慮に入れられることを特徴とする請求項１ないし４のいずれか１つに記載の方法。
【請求項６】
蒸気タービン（２、４、６）および発電機を有するターボセットと、発電機増加出力を設定するためにプラントプロセス内に存在しているエネルギー蓄積器を能動化するための手段とを備え、調節装置（６０）を含み、その入力（ａ〜ｉ）が発電機（８）の出力値（ＰS、ＰI）ならびに少なくとも１つの別のプロセス量（PS、PI、PWL、PFW、MPD、DFD、KL、TB、P）を含み、その出力（ｎ〜ｕ）が蒸気タービン（２、４、６）と結合されている複数個の操作機構（１０、１２、１８、２２、２４、２８、３２、３４、３６、４２、４６、４８、５０）に対する位置目標値（Ｙ）を与える発電所プラントの迅速な出力調節のための装置において、入力（ａ〜ｉ）の１つにプラントプロセスから脱結合される熱出力（PFW）が加えられることを特徴とする発電所プラントの迅速な出力調節のための装置。
【請求項７】
調節装置（６０）が第１の調節モジュール（６２）を含んでおり、その入力（ａ〜ｉ）がプロセス量（PS、PI、PWL、PFW、MPD、DFD、KL、TB、P）を含んでおり、またその出力（ｊ）が予備出力を準備するための措置組み合わせ（Ln）の割合値を与えることを特徴とする請求項６記載の装置。
【請求項８】
第２の調節モジュール（６４）を含んでおり、その入力端が第１の調節モジュール（６）の出力端（ｊ）と接続されており、またその出力（ｎ〜ｒ）が蒸気操作機構（１０、１２、１８、２４、２８、３２、３４、３６）に対する位置目標値（Ｙ）を与えることを特徴とする請求項７記載の装置。
【請求項９】
出力側で第２の調節モジュール（６４）と接続されている第３の調節モジュール（６６）を含んでおり、その入力（ａ、ｂ）が発電機（８）の出力値（PS、PI）を含んでいることを特徴とする請求項８記載の装置。
【請求項１０】
第４の調節モジュール（６８）を含んでおり、その入力端が第２の調節モジュール（６４）の少なくとも出力端（ｒ）および第１の調節モジュール（６２）の出力端（ｊ）と接続されており、またその出力（ｓ、ｔ）が復水操作機構（４２、４６、４８、５０）に対する位置目標値（YKP、YNKP）を与えることを特徴とする請求項８または９記載の装置。
【請求項１１】
少なくとも操作機構（１０）の現在の絞り度（DFD）を補正するための第５の調節モジュール（７０）を含んでいることを特徴とする請求項６ないし１０のいずれか１つに記載の装置。
【発明の詳細な説明】
本発明は蒸気タービンおよび発電機を有するターボセットを備えた発電所プラントの迅速な出力調節のための方法であって、発電機増加出力を設定するためにプラントプロセス内に存在しているエネルギー蓄積器が能動化される方法に関する。本発明はさらにこの方法を実施するための装置に関する。
エネルギー供給システム内の周波数偏差をなくすための調節とならんで特に、配電網（連系網またはアイランド網）を構成する部分回路網への連結個所における予め定められた授受電力を守らなければならない。従って、何秒か内に発電所ブロックの迅速な出力上昇を可能にするという要求がある。
迅速な出力調節および周波数バックアップのための可能性は、印刷物“VGB Kraftwerkstechnik”、第１号、１９８０年１月、第１８〜２３頁に記載されている。何秒かの間の迅速な出力調節（秒予備）のためには複数の同時にまたは交互に実行可能な干渉可能性があるが、発電所ブロックの出力の残留する変化のためには燃料供給の変更が必要である。従って、化石燃料による発電所プラントでは、最初の何秒か内の遅れ時間の橋渡しのために、先に絞られた位置に保たれていた蒸気タービンの操作弁が開かれ、それにより利用可能な蒸気またはエネルギー蓄積器が実際上遅れなしに能動化かつ放出される。
蒸気タービンの操作弁の絞りをやめることによる出力上昇とならんで、蒸気タービンの水-蒸気循環路中に設けられており蒸気タービンからの抽出蒸気により加熱される予熱器も切り離される。同時に低圧加熱器を通して導かれる復水流が何秒か内に止められ、再び高められる。予備として保たれているエネルギー蓄積器を能動化するための別の可能性として復水停止による予熱器の切り離しにより化石燃料による発電所ブロックのなかの迅速な出力調節を行うためのこの措置は、例えばドイツ特許第33 04 292号明細書にも記載されている。
従って、迅速な秒予備、すなわち再生予熱器および（または）加熱復水器への蒸気流ならびにプロセス蒸気および発電所プラントの蒸気タービンの水-蒸気循環路内の復水の調節要求、を調節かつ（または）制御するために、通常調節装置が使用される。この調節装置は迅速な出力調節のために、すなわち何秒か内にエネルギー蓄積器を能動化するために、予熱器への蒸気供給の絞り、プロセス蒸気の絞りおよび（または）復水の絞りを調節する。その際にタービン抽出蒸気の調節弁および復水設定のための操作機構に対する位置目標値は、必要とされる発電機増加出力が達成されるように形成される。しかしその際に欠点として、タービン抽出蒸気の操作端または操作機構および復水-および副復水調節の協調が非常に困難である。さらに、迅速な出力調節のための個々の措置の利用の優先順位が考慮に入れられていない。さらに、制御対象が通常は線形でないために、これまで特に高い制御良度は得られていない。
従って、本発明の課題は、上述のような従来の問題点を解決し、発電所プラントにおいて、タービン抽出蒸気の操作端と復水及び副復水調節との協調を容易にし、出力調節のための個々の措置の利用の優先順位を考慮することができ、高い制御良度が得られ、しかも迅速に出力を準備するための効率的な調節を達成する方法を提供することにある。本方法はその実施のために特に適した装置において簡単な手段により達成しなければならない。
方法に関して、この課題は、本発明によれば、発電機出力に対して付加的に、少なくとも１つの、特に発電所プラントの蒸気発生器調節から供給される、熱出力が別の現在の作動状態を特徴付けるプロセス量として複数個の位置目標値を求めるために利用されることによって解決される。ここで発電機出力とは、発電機の実際出力または目標出力、増加出力目標値または増加出力実際値または最大可能な出力を意味している。
本発明はその際に、現在の作動状態を考慮に入れてエネルギー蓄積器を能動化するための措置組み合わせ、従ってまた使用ストラテジーを求め、その際にプラントプロセスの多数のプロセス値またはプロセス量を評価するという考察から出発する。そのために自由になるエネルギー蓄積器のエンドチャージおよびチャージが剰余出力要求の評価に従って調節されなければならないであろう。その際に個々のエネルギー蓄積器の能動化のための技術的および経済的な観点に基づく使用ストラテジーを使用することができる。
好ましくはプラント全体または個々の発電所ブロックの現在の作動状態を決定するため付加の別のプロセス量としてプラントの遠隔熱出力ならびに脱結合されたプロセス蒸気質量流および（または）蒸気タービンの操作機構、特に蒸気タービンと流入側で結合されている生蒸気操作弁、の絞り度も使用される。さらに、目的にかなった仕方で、エネルギー蓄積器の制限に関する、例えばプラントの負荷容量に関する値およびデータも考慮に入れられる。さらに、目的に適った仕方で、蒸気タービンの水-蒸気循環路内の生蒸気-、抽出蒸気-、排出蒸気-および（または）復水流に関係する内容を含んでいる、個々のエネルギー蓄積器のテクノロジー的な準備または能動化可能性に関するデータも考慮に入れられる。
装置に関して、前記の課題は、本発明によれば、調節装置を含んでおり、その入力が発電機の目標出力（増加出力目標値）および実際出力（増加出力実際値）ならびに少なくとも１つの熱出力値を別のプロセス量として含んでおり、またその出力が、個々のエネルギー蓄積器を能動化するために、蒸気タービンと結合されている操作機構に対する位置目標値を与えることにより解決される。操作機構は生蒸気、抽出蒸気または排出蒸気の各操作弁またはダンパーならびに主-または副復水供給ポンプであってよい。
目的にかなった実施例では、調節装置が第１の調節モジュールを含んでおり、その入力が発電機の目標出力および実際出力ならびに別のプロセス量または作動値を含んでおり、またその出力が予備出力を準備するための措置組み合わせの割合値を与える。好ましくは、第１の調節モジュールは蒸気タービンと流入側で結合されている少なくとも操作機構の絞り度に対する入力端をも有する。
目的にかなった仕方で、調節装置はさらに第２の調節モジュールを含んでおり、その入力端が第１の調節モジュールの措置組み合わせを示す出力端と接続されており、またその出力が蒸気操作機構に対する位置目標値を与える。出力側でこの調節モジュールと接続されており、補正調節器として動作する第３の調節モジュールは、目的にかなった仕方で、入力として発電機の出力値を含んでいる。
調節装置はさらに、目的にかなった仕方で、第４の調節モジュールを含んでおり、その入力端が第１及び第２の調節モジュールのそれぞれ出力端と接続されており、またその出力が復水操作機構に対する位置目標値を与える。第１の調節モジュールと接続されている調節装置の第５の調節モジュールは少なくとも操作機構の現在の絞り度を補正または適応させる役割をする。
本発明により達成される利点は特に、プラントの複数個の重要なプロセス量を考慮に入れてターボセットのなかのエネルギー蓄積器を能動化するための措置組み合わせを求めることにより、増加出力能動化に対するしばしば互いに逆向きの要求および条件の特に望ましい解決策が可能にされていることにある。その際にエネルギー蓄積器の能動化に対する適切な使用ストラテジーの使用のもとに最良可能な全体結果が保証されている。使用ストラテジーの作成の際に、調節剰余の予め定められた準備からも、流れ-、プロセス-および（または）加熱蒸気-供給に関する規定からも、テクノロジー的な理由からも生ずる制約が考慮に入れられ得る。
以下、本発明の実施例を図面により一層詳細に説明する。
図１は発電所ブロックのプロセス部分としてのターボセットのブロック回路図、また
図２は図１によるプロセス部分に対する調節装置のブロック回路図を示す。
図１は、高圧部分タービン２、中圧部分タービン４および低圧部分タービン６ならびに発電機８から構成されているターボセットを有する発電所ブロックのプロセス部分の原理的なブロック回路図を示す。ターボセットの作動の際には生蒸気ＦＤが生蒸気操作弁１０を介して高圧部分タービン２に入れられる。操作弁１２（ダンパーＫＬ）により設定可能な部分流ＦＤ1が高圧部分タービン２から高圧予熱路１４に対して取り出される。高圧部分タービン２からの排出蒸気ＦＤ2は中間過熱器１６を介して中圧部分タービン４に供給される。
中圧部分タービン４からは別の蒸気取り出しが行われる。そのために操作弁１８（ダンパーＫＬ）により給水タンク２０に対する設定可能な第１の部分流ＭＤ1が取り出される。別の取り出しが操作弁２２（プロセス蒸気ダンパーＰＤＫ  Ｌ）により設定可能なプロセス蒸気としての第２の部分流ＭＤ2を介して行われる。さらに取り出しが操作弁２４（ダンパーＫＬ）により設定可能な第３の部分流ＭＤ3を介して低圧予熱路２６に対して行われる。中圧部分タービン４の排出蒸気の操作弁２８（加熱復水ダンパーＨＫＫＬ）により設定可能な第１の部分流ＭＤ4は加熱復水器３０に供給される。中圧部分タービン４の排出蒸気の同じく設定可能な第２の部分流ＭＤ5はオーバーフローダンパー３２（ＵＫＬ）を介して低圧部分タービン６に供給される。
低圧部分タービン６から同じく低圧予熱路２６および加熱復水器３０に対する蒸気取り出しが行われる。そのために第１の部分流ＮＤ1が直接に、また第２の部分流ＮＤ2が操作弁３４（ダンパーＫＬ）を介して低圧予熱路２６に供給される。同じく加熱復水器３０に第３の部分流ＮＤ3が直接に、また第４の部分流ＮＤ4が操作弁３６（加熱復水ダンパーＨＫＫＬ）を介して供給される。低圧部分タービン６からの排出蒸気ＮＤ5は復水器３８のなかで復水する。
主復水Ｋは復水器３８の温水溜め４０から復水ポンプ４２により低圧予熱路２６を介して給水タンク２０に送られる。給水タンク２０から給水ポンプ４４により給水Ｓが高圧予熱路１４を介して送られる。高圧予熱路１４からの副復水ＮＫ1は副復水ポンプ４６を介して給水タンク２０に送られる。同じく副復水ＮＫ2は低圧予熱路２６から副復水ポンプ４８を介して復水器３８に、すなわちその温水溜め４０に、送られる。さらに、副復水ＮＫ3は加熱復水器３０から副復水ポンプ５０により復水器３８の温水溜め４０に送られる。
主復水Ｋおよび給水Ｓの送りはレベル調節ＬK／ＬSWBを介して行われ、他方において副復水ＮＫ1,2,3の送りは別のレベル調節ＮＫＲ1、ＮＫＲ2またはＮＫＲ3を介して設定される。各レベル調節には共通の位置目標値ＹNKRが供給される。
迅速な出力調節のための装置は図２に示されている。この装置は５つの調節モジュール６２、６４、６６、６８および７０を有する調節装置６０を含んでいる。調節装置６０は入力量ａおよびｂとして出力要求ＰSおよび出力-または増加出力実際値ＰIを受ける。剰余出力実際値ＰIは発電機８（図１）における測定装置７２により測定される。別の入力量ｃとして調節装置６０は、詳細には示されていない仕方で発電所ブロックの蒸気発生器調節から取り出される熱出力目標値ＰWLを受ける。さらに、調節装置６０は入力量ｄないしｈとして発電所ブロックの作動状態に関する情報を受ける。これらは入力量ｄとして遠隔熱出力ＰFW、入力量ｅとしてプロセス蒸気取り出し量またはプロセス蒸気質量流ＭPD、入力量ｆとして生蒸気操作弁１０の絞り度ＤFD、入力量ｇとして発電所ブロックの負荷容量ＫＬ、また入力量ｈとして利用可能なエネルギー蓄積器のテクノロジー的な準備ＴＢである。別の作動値Ｐは調節装置６０に入力端ｉを介して供給され得る。
入力端ａないしｉは調節装置６０の第１の調節モジュール６２に属する。それらは調節すべきプロセス部分に対して使用されるプロセス量ＰS、ＰI、ＰWL、ＰFW、ＭPD、ＤFD、ＫＬ、ＴＢおよびＰを考慮に入れる。個々の措置の予備出力可能性に関する方法技術的な知識に基づくアルゴリズムを用いて、第１の調節モジュール６２のなかで措置組み合わせに対する決定規範が作成される。そのために発電機出力ＰSおよび遠隔熱出力ＰFWにより、またプロセス蒸気質量流ＭPDおよび絞り度ＤFDにより特徴付けられる現在の作動状態が求められる。その際に各々の現在の作動状態に対してその瞬間に必要とされる予備出力をカバーするための最適な措置組み合わせＬ1...nが決定される。その際に負荷容量ＫＬおよび個々の措置Ｌnのテクノロジー的な準備ＴＢも考慮に入れられる。続いて、決定された措置Ｌnに対して出力割合ＰSRM(1...n）が計算され、また出力量Ｉとして関与する措置Ｌnに対するレリーズ信号が形成される。さらに、別の出力量ｋとして（図示されていない）蒸気発生器調節のための付加熱出力ΔＰWLが決定される。
出力量ｊおよびｌならびに遠隔熱出力ＰFWは調節モジュール６４の入力量を形成する。調節モジュール６４のなかで出力量ｍないしｒとして生蒸気操作弁１０、オーバーフローダンパー３２、操作弁２８および３６、操作弁２２または操作弁１２、１８、２４および３４に対する位置目標値ＹFD、ＹUKL、ＹHKKL、ＹPDKLおよびＹKLが形成される。計算された位置目標値Ｙは、調節モジュール６４と接続され入力量として出力目標値ＰSおよび増加出力実際値ＰIを供給される調節モジュール６６により補正される。
調節モジュール６８のなかで出力量ｓおよびｔとして措置Ｌn、ダンパーまたは操作弁１０、１２、１８、２２、２４、２８，３０、３２、３４および（または）３６の位置ならびにそれらの位置変化速度に応じて復水-または副復水調節器ＮＫＲ1,2,3の位置目標値ＹKP、ＹNKPに対する補正が形成される。そのために調節モジュール６８に入力量として調節モジュール６２ないし６４の出力量ｊおよびｒ、すなわち位置目標値ＹKLよび措置組み合わせＬ1...nが供給される。
調節モジュール７０は生蒸気操作弁１０に対する必要な絞り度を決定するためのアルゴリズムを含んでいる。そのためにこの調節モジュール７０に入力量として出力量ｊおよび発電所ブロックの現在の作動状態を記述する別の出力量ｖが調節モジュール６２から供給される。生蒸気操作弁１０の計算された絞り度は予め選ばれた絞り度と比較され、出力量ｕとして自動的に適応された絞り度ＤFDが出力される。
高圧部分タービン２に供給される生蒸気質量流を設定する生蒸気操作弁または操作機構１０の絞りはこうして調節されて能動化可能なエネルギー蓄積器を構成し、このエネルギー蓄積器は求められた位置目標値ＹFDを介して制御されてチャージされ、または予備出力を準備するために制御されてディスチャージされ得る。別のエネルギー蓄積器を能動化するためには抽出蒸気-および排出蒸気-部分流ＦＤ1,2、MD1...5、ＮＤ1...5ならびに復水Ｋおよび副復水ＮＫの供給が個々にまたは共通に、また部分的にまたは完全に相応の操作機構（操作弁、ポンプ）１２、１８、２２、２４、２８、３２、３４、３６、４２、４６、４８、５０により絞られ得る。それによって予熱路１４、２６の供給が一時的に減少または中止される。制御は同じく調節装置６０を介して相応の位置目標値Ｙにより行われる。
特にプロセス蒸気-および加熱蒸気供給の際に措置Ｌnの選択への特別な影響を有し得る方法技術的な知識および折り合いのよい決定を総合して調節装置６０の基礎とすることは、存在するエネルギー蓄積器を経済的にできるだけ良好に利用することも発電所プラントを大切にして運転することも保証する。
【図１】
0003963479.tif 000002
【図２】
0003963479.tif 000003